(57)【要約】本発明に係る記録再生装置は、装填された記録デバイス（１０４）に対し、データの読み出し、あるいは書き込みを行うとき、上記記録デバイス（１０４）にベンダーコマンドを発行し、上記記録デバイス（１０４）のディスク（３０３）に記録されている最終アクセス情報を更新するようにした。また、ディスク（３０３）に記録されている最終アクセス情報を更新可能な専用の記録再生装置ではなく、その他の記録再生装置に装填されたときは、記録デバイス（１０４）自身で最終アクセス情報をクリアするようにした。このように構成された記録再生装置によれば、現在装填されている記録デバイスが前回専用の記録再生装置以外でアクセスが行われたかどうかを認識することができる。
2004001758.tif 000002
【特許請求の範囲】
【請求項１】
装填された記録デバイスに対し、映像信号、及び音声信号の記録、再生を行う記録再生装置であって、
上記記録デバイスに対し、データの読み出し、あるいは書き込みを行うとき、上記記録デバイスに特有のコマンドを発行し、上記記録デバイスに対する最終アクセス情報を上記記録デバイスに記録する、
ことを特徴とする記録再生装置。
【請求項２】
請求の範囲第１項に記載の記録再生装置において、
上記映像信号、及び音声信号は、圧縮して上記記録デバイスに記録し、伸長して再生する、
ことを特徴とする記録再生装置。
【請求項３】
請求の範囲第１項に記載の記録再生装置において、
上記特有のコマンドは、ベンダーユニークである、
ことを特徴とする記録再生装置。
【請求項４】
請求の範囲第１項に記載の記録再生装置において、
上記特有のコマンドは、リードコマンド、またはライトコマンド、もしくはそれらの組み合わせである、
ことを特徴とする記録再生装置。
【請求項５】
請求の範囲第１項に記載の記録再生装置において、
上記最終アクセス情報は、上記記録デバイスに対し、最後にアクセスを行った日時である、
ことを特徴とする記録再生装置。
【請求項６】
請求の範囲第１項に記載の記録再生装置において、
上記特有のコマンドは、上記記録デバイスの特定の領域にアクセスをするときのみ発行される、
ことを特徴とする記録再生装置。
【請求項７】
装填される記録再生装置から本記録デバイスへの最終アクセス情報と、上記記録再生装置から送信された映像信号、及び音声信号を記録するディスクと、
上記記録再生装置から特有のコマンドが発行されたとき、上記最終アクセス情報を更新し、上記記録再生装置から特有のコマンドが発行されないときは、上記記録デバイス自身で上記最終アクセス情報をクリアする制御部とを備えた、
ことを特徴とする記録デバイス。
【請求項８】
請求の範囲第７項に記載の記録デバイスにおいて、
上記制御部は、上記最終アクセス情報を、上記ディスク上の上記映像信号、及び音声信号を記録するデータ記録領域ではない領域に記録する、
ことを特徴とする記録デバイス。
【請求項９】
請求の範囲第７項に記載の記録デバイスにおいて、
上記制御部は、上記最終アクセス情報を、上記ディスク外に備えた不揮発性メモリに記録する、
ことを特徴とする記録デバイス。
【請求項１０】
装填される記録再生装置から本記録デバイスへの最終アクセス情報と、上記記録再生装置から送信された映像信号、及び音声信号を記録するディスクと、
上記記録再生装置から上記ディスクの特定の領域へのアクセスを示す特有のコマンドが発行されたとき、上記最終アクセス情報を更新し、上記記録再生装置から特有のコマンドが発行されず、かつ、上記ディスクの特定の領域へのアクセスがあったとき、上記最終アクセス情報をクリアする制御部とを備えた、
ことを特徴とする記録デバイス。
【請求項１１】
請求の範囲第１０項に記載の記録デバイスにおいて、
上記記録デバイスの特定の領域は、ボリューム単位である、
ことを特徴とする記録デバイス。
【請求項１２】
請求の範囲第１０項に記載の記録デバイスにおいて、
上記記録デバイスの特定の領域は、フォルダ単位である、
ことを特徴とする記録デバイス。
【請求項１３】
請求の範囲第１０項に記載の記録デバイスにおいて、
上記記録デバイスの特定の領域は、ファイル単位である、
ことを特徴とする記録デバイス。
【発明の詳細な説明】
【技術分野】  本発明は、映像信号、及び音声信号の記録、再生を行う記録再生装置、及び該記録再生装置に装填される記録デバイスに関するものであり、特に、記録デバイスの装填履歴を認識することができる記録再生装置、及び記録デバイスに関するものである。
【背景技術】  従来の記録再生装置、及び記録デバイスとしては、特開２０００−２３５７７４号公報に記載されている技術が知られている。この公報によれば、記録再生装置は記録デバイスが装填される毎に、記録デバイスのメモリに格納されている装填履歴情報の更新を行っていた。
従来の記録再生装置に記録デバイスが装填されたときに、該記録デバイスに記録されている装填履歴を更新する処理について、第８図を用いて説明を行う。
まず、メモリを備えた記録デバイスが記録再生装置に装填されると、データのロードが行われる（ステップＳ８０１）。そして、記録デバイスのメモリに格納されている情報をワークエリアに読み込んで（ステップＳ８０２）、通常の記録再生の動作を開始する（ステップＳ８０３）。
続いて、記録デバイスのアンロード要求を検出したか否かを監視する（ステップＳ８０４）。アンロード要求が検出されたならば、記録再生装置のシリアルナンバを記録デバイスのメモリに格納して装填履歴を更新し（ステップＳ８０５）、記録デバイスをアンロードする（ステップＳ８０６）。
このようにして、記録デバイスが記録再生装置からアンロードされる前に、記録デバイスのメモリに格納されている装填履歴を更新することができ、その結果、記録デバイス単体で、該記録デバイスがどのような記録再生装置に装填され、どのようなエラーが発生したのかを把握することができる。
しかしながら、上記従来の記録再生装置においては、記録デバイスのメモリに格納されている装填履歴を更新可能な専用の記録再生装置以外の装置に記録デバイスが装填された場合、装填履歴の更新を行うことができなかった。つまり、現在装填されている記録デバイスが、前回専用の記録再生装置に装填されたのか、あるいはそれ以外の記録再生装置に装填されたのかが分からないという問題があった。
また、装填履歴は、記録再生装置内で発生したエラーの状況や、どの記録再生装置に装填されたのかという情報を記録することにより、エラーの解析を容易にし、記録デバイスの使用状況を把握することができるが、記録デバイスが専用の記録再生装置以外の装置に装填されたときにエラーが発生しても、記録デバイス単体ではエラーの状況を更新することができないので、エラーの解析が困難になるという問題があった。
本発明は、かかる問題点を解決するためになされたものであり、記録デバイスが記録再生装置に装填されたとき、その記録デバイスが前回、専用の記録再生装置でアクセスが行われたのか、あるいはそれ以外の記録再生装置でアクセスが行われたのかを判別することができる記録再生装置、及び記録デバイスを提供することを目的とするものである。
【発明の開示】
本発明の請求の範囲第１項に記載の記録再生装置によれば、装填された記録デバイスに対し、映像信号、及び音声信号の記録、再生を行う記録再生装置であって、上記記録デバイスに対し、データの読み出し、あるいは書き込みを行うとき、上記記録デバイスに特有のコマンドを発行し、上記記録デバイスに対する最終アクセス情報を上記記録デバイスに記録するようにしたので、装填された記録デバイスに記録された最終アクセス情報を確認することにより、現在装填されている記録デバイスが、前回、専用の記録再生装置でアクセスが行われたのか、あるいはその他の記録再生装置でアクセスが行われたのかを容易に判断することができる。
また、本発明の請求の範囲第２項に記載の記録再生装置によれば、請求の範囲第１項に記載の記録再生装置において、上記映像信号、及び音声信号は、圧縮して上記記録デバイスに記録し、伸長して再生するようにしたので、記録デバイスに対し、効率良く、多数のデータを記録することができる。
また、本発明の請求の範囲第３項に記載の記録再生装置によれば、請求の範囲第１項に記載の記録再生装置において、上記特有のコマンドは、ベンダーユニークであるものとしたので、記録デバイスが前回、専用の記録再生装置でアクセスが行われたのか、あるいは、その他の記録再生装置でアクセスが行われたのかを容易に区別をつけることができる。
また、本発明の請求の範囲第４項に記載の記録再生装置によれば、請求の範囲第１項に記載の記録再生装置において、上記特有のコマンドは、リードコマンド、またはライトコマンド、もしくはそれらの組み合わせで組み合わせであるものとしたので、記録デバイスが前回、専用の記録再生装置でアクセスが行われたのか、あるいは、その他の記録再生装置でアクセスが行われたのかを容易に区別をつけることができる。
また、本発明の請求の範囲第５項に記載の記録再生装置によれば、請求の範囲第１項に記載の記録再生装置において、上記最終アクセス情報は、上記記録デバイスに対し、最後にアクセスを行った日時であるものとしたので、前回アクセスしたときの最終アクセス情報との比較を容易に行うことができる。、
また、本発明の請求の範囲第６項に記載の記録再生装置によれば、請求の範囲第１項に記載の記録再生装置において、上記特有のコマンドは、上記記録デバイスの特定の領域にアクセスをするときのみ発行されるようにしたので、記録デバイスに記録された最終アクセス情報を確認することにより、装填されている記録デバイスは、前回、専用の記録再生装置でアクセスが行われたのか、あるいはその他の記録再生装置でアクセスが行われたのかを容易に判断することができる。
また、本発明の請求の範囲第７項に記載の記録デバイスによれば、装填される記録再生装置から本記録デバイスへの最終アクセス情報と、上記記録再生装置から送信された映像信号、及び音声信号を記録するディスクと、上記記録再生装置から特有のコマンドが発行されたとき、上記最終アクセス情報を更新し、上記記録再生装置から特有のコマンドが発行されないときは、上記記録デバイス自身で上記最終アクセス情報をクリアする制御部とを備えたことより、最後にアクセスが行われた記録再生装置が、専用の記録再生装置であったかどうかを容易に判断することができる。
また、本発明の請求の範囲第８項に記載の記録デバイスによれば、請求の範囲第７項に記載の記録デバイスにおいて、上記制御部は、上記最終アクセス情報を、上記ディスク上の上記映像信号、及び音声信号を記録するデータ記録領域ではない領域に記録するようにしたので、データ記録領域を減らすことなく、最終アクセス情報を記録することができる。
また、本発明の請求の範囲第９項に記載の記録デバイスによれば、請求の範囲第７項に記載の記録デバイスにおいて、上記制御部は、上記最終アクセス情報を、上記ディスク外に備えた不揮発性メモリに記録するようにしたので、ディスク上の領域を使用することなく、最終アクセス情報を記録することができる。
また、本発明の請求の範囲第１０項に記載の記録デバイスによれば、装填される記録再生装置から本記録デバイスへの最終アクセス情報と、上記記録再生装置から送信された映像信号、及び音声信号を記録するディスクと、上記記録再生装置から上記ディスクの特定の領域へのアクセスを示す特有のコマンドが発行されたとき、上記最終アクセス情報を更新し、上記記録再生装置から特有のコマンドが発行されず、かつ、上記ディスクの特定の領域へのアクセスがあったとき、上記最終アクセス情報をクリアする制御部とを備えたことより、最終アクセス情報を確認することにより、特定の領域にアクセスが行われたか否かを容易に判断することができる。
また、本発明の請求の範囲第１１項に記載の記録デバイスによれば、請求の範囲第１０項に記載の記録デバイスにおいて、上記記録デバイスの特定の領域は、ボリューム単位であるものとしたので、最終アクセス情報を確認することにより、特定のボリュームにアクセスが行われたか否かを容易に判断することができる。
また、本発明の請求の範囲第１２項に記載の記録デバイスによれば、請求の範囲第１０項に記載の記録デバイスにおいて、上記記録デバイスの特定の領域は、フォルダ単位であるものとしたので、最終アクセス情報を確認することにより、特定のフォルダにアクセスが行われたか否かを容易に判断することができる。
また、本発明の請求の範囲第１３項に記載の記録デバイスによれば、請求の範囲第１０項に記載の記録デバイスにおいて、上記記録デバイスの特定の領域は、ファイル単位であるものとしたので、最終アクセス情報を確認することにより、特定のファイルにアクセスが行われたか否かを容易に判断することができる。
【発明を実施するための最良の形態】  以下、本発明の実施の形態について説明する。
（実施の形態１）
以下に、本発明の実施の形態１による記録再生装置、及び記録デバイスについて図面を参照しながら説明する。本実施の形態１による記録再生装置は、装填された記録デバイスに対してベンダーユニークコマンドを発行し、上記記録デバイスのメモリのデータ記録領域以外の領域に履歴情報を記録するものである。
第１図は、本実施の形態１による記録再生装置のブロック図である。
本実施の形態１による記録再生装置１００は、信号入力部１０１と、記録制御部１０２と、システム制御部１０３と、着脱可能な記録デバイス１０４と、再生制御部１０５と、信号出力部１０６と、整合性チェック部１０７とを備えている。
信号入力部１０１は、映像信号、及び音声信号を入力し、記録制御部１０２に送る。
記録制御部１０２は、送られてきた映像信号、及び音声信号を圧縮して、記録デバイス１０４に送るとともに、ベンダーユニークを発行して記録デバイス１０４に送る。
記録デバイス１０４は、記録制御部１０２から送られた圧縮された映像信号、及び音声信号を記録する。ここで、記録デバイス１０４は、ＨＤＤを使用するものとし、詳細な構成については後述する。
再生制御部１０５は、映像信号、及び音声信号を記録デバイス１０４から取り出して伸長し、信号出力部１０６に出力する。
信号出力部１０６は、映像信号、及び音声信号を記録再生装置１００の外部に出力する。
システム制御部１０３は、記録デバイス１０４に対し、映像信号、及び音声信号を記録する領域を指定し、記録の開始を指示する記録開始命令、及び記録の終了を指示する記録終了命令を記録制御部１０２に発行する。
整合性チェック部１０７は、記録再生装置１００の起動時に、必要な情報が記録デバイス１０４に存在するか否かの確認する。ここで、システム起動時に確認する、記録デバイス１０４に存在する必要な情報とは、付加情報ファイルの情報、記録デバイスに存在するボリューム、フォルダ、ファイルに関する情報のことである。
なお、上記付加情報ファイルには、記録デバイスの記録容量、及び空き容量に関する情報、記録デバイスが対応しているアクセス速度に関する情報、記録デバイスの製品名等の情報、記録デバイスに記録されているディレクトリ／フォルダ等の数に関する情報、記録されているファイルの記録開始時間に関する情報、記録されているファイルの再生時間と記録位置に関する情報などが含まれる。特に、上記記録されているファイルの再生時間と記録位置に関する情報は、映像音声ファイルの再生時において、特殊再生（早送り再生、逆早送り再生など）を行うために必要な情報であり、特定の再生時間に対し、映像音声データが記録デバイスのメモリのどの位置に記録されているかを示すものである。
このように構成された記録再生装置１００について、記録処理を開始する動作を第２図、及び第１図を用いて説明する。第２図は、本実施の形態１による記録再生装置の記録処理の動作を説明するためのフローチャートである。
まず、システム制御部１０３から記録制御部１０２に記録開始命令が発行されると、記録制御部１０２では、記録デバイス１０４にベンダーユニークを発行し（ステップＳ２０１）、続いて、記録デバイス１０４に記録開始命令を発行する（ステップＳ２０２）。記録デバイス１０４は、記録制御部１０２から圧縮された映像信号、及び音声信号を受信して記録処理を行い（ステップＳ２０３）、システム制御部１０３から記録終了命令が発行されるまで、記録処理を行う（ステップＳ２０４）。そして、システム制御部１０３から記録制御部１０２に対し、記録終了命令が発行されると、記録制御部１０２は、記録デバイス１０４に記録終了命令を発行し、記録デバイス１０４は記録処理を終了する（ステップＳ２０５）。
次に、記録デバイス１０４の構成について説明を行う。第３図は、本実施の形態１による記録デバイスのブロック図である。
記録デバイス１０４は、データの入出力、及びコマンドの入力を行う外部Ｉ／Ｆ部３０１と、データを記録するメモリ（ディスク）３０３と、コマンドの解析を行い、データを記録するときはディスク３０３上の領域を確保し、データを再生するときはディスク３０３上に記録したデータの領域を指定する制御部３０２とを備えている。
このように構成された記録デバイス１０４について、その動作をデータの記録時とデータの再生時に分けて説明する。
ディスク３０３にデータを記録する場合、ライトコマンドが外部Ｉ／Ｆ部３０１を介して制御部３０２に入力される。制御部３０２では、ライトコマンドを解析し、ディスク３０３上にデータを記録するための領域を確保する。そして、ディスク３０３上に確保された領域にデータを記録する。
一方、ディスク３０３に記録されたデータを再生する場合、リードコマンドが外部Ｉ／Ｆ部３０１を介して制御部３０２に入力される。制御部３０２では、リードコマンドを解析して、ディスク３０３上に記録されたデータのうち、再生するデータの領域を指定し、ディスク３０３上の指定した領域のデータを取り出し、外部Ｉ／Ｆ部３０１を介して記録再生装置１００に出力する。
次に、記録デバイスに最終アクセス情報を記録する動作について第４図、及び第３図を用いて説明する。第４図は、本実施の形態１による記録デバイスの記録処理の動作を説明するためのフローチャートである。
まず、制御部３０２では、記録制御部１０２からベンダーユニークが発行されたかどうかを監視する（ステップＳ４０１）。
ベンダーユニークが発行された場合、制御部３０２では、記録デバイス１０４が前回、専用の記録再生装置に装填されたと判断し、ディスク３０３上のデータを記録する領域ではない領域に記録している最終アクセス日時などの最終アクセス情報を更新する（ステップＳ４０２）。そして、システム制御部１０３から記録制御部１０２に記録開始命令が発行されると、上記記録制御部１０２から記録開始命令を外部Ｉ／Ｆ部３０１を介して受信し（ステップＳ４０３）、ディスク３０３への記録処理を開始する（ステップＳ４０４）。
一方、ベンダーユニークが発行されなかった場合、制御部３０２では、記録デバイス１０４が前回、専用の記録再生装置ではなく、それ以外の記録再生装置に装填されたと判断し、ステップＳ４０５に進む。ステップＳ４０５では、システム制御部１０３から記録制御部１０２に記録開始命令が発行されるのを待ち、記録開始命令が発行されたならば、外部Ｉ／Ｆ部３０１を介して上記記録開始命令を受信し、ディスク３０３に記録されている最終アクセス情報をクリアにし（ステップＳ４０６）、ディスク３０３への記録処理を開始する（ステップＳ４０４）。
次に、整合性チェック部１０７の動作について、第５図を用いて説明する。第５図は、本実施の形態１によるシステム起動処理の動作を説明するためのフローチャートである。
まず、システムの起動処理を開始するとき、記録デバイス１０４から該記録デバイス１０４のディスク３０３に記録されている最終アクセス情報を読み出し（ステップＳ５０１）、読み出した最終アクセス情報が、前回記録された最終アクセス情報と同じであるか否かを判断する（ステップＳ５０２）。
ステップＳ５０２において、前回の最終アクセス情報と同じであると判断した場合は、処理を終了する。
ステップＳ５０２において、前回の最終アクセス情報と異なると判断した場合、記録デバイス１０４に必要な情報が存在することを確認するために、整合性のチェックを行う（ステップＳ５０３）。そして、整合性がとれているか否かを判断し（ステップＳ５０４）、整合性がとれているならば処理を終了する。一方、整合性がとれていないならば、必要な情報を再び作成し（ステップＳ５０５）処理を終了する。
このような本実施の形態１では、記録デバイス１０４が装填されたときにベンダーユニークを発行し、上記記録デバイス１０４のディスク３０３に格納されている最終アクセス情報を更新するようにしたので、最終アクセス情報を確認することにより、現在装填されている記録デバイスが、前回、専用の記録再生装置でアクセスが行われたのか、あるいは、その他の記録再生装置でアクセスが行われたのかを判断することができる。
また、本実施の形態１では、最終アクセス情報として最終アクセス日時を記録するようにしたので、記録再生装置１００に保持されている任意の記録デバイスに対する最終アクセス情報と、記録デバイス自身が保持している最終アクセス情報との比較を容易に行うことができる。
また、本実施の形態１では、最終アクセス情報は、記録デバイス１０４のディスク３０３上のデータ記録領域ではない領域に記録するようにしたので、ディスク３０３上のデータ記録領域を減らすことなく、最終アクセス情報をディスク３０３に記録することができる。
また、本実施の形態１では、記録デバイス１０４が、ディスク３０３に記録されている最終アクセス情報を更新可能な専用の記録再生装置ではなく、その他の記録再生装置に装填されたときは、記録デバイス１０４自身で最終アクセス情報をクリアするようにしたので、システム起動時に最終アクセス情報を確認することにより、専用の記録再生装置、又はその他の記録再生装置でアクセスが行われたのかを知ることができ、記録デバイスがその他の記録再生装置でアクセスが行われたときのみ、データファイルの整合性のチェックを行うようにすれば、システムの起動時間を短縮させることができる。
また、本実施の形態１では、入力された映像信号、及び音声信号を圧縮して記録デバイス１０４のディスク３０３に記録し、記録デバイス１０４から該記録デバイス１０４のディスク３０３に記録されているデータを取り出したときに伸長して再生するようにしたので、記録デバイスに多数の映像信号、及び音声信号を記録することができる。
なお、本実施の形態１では、記録デバイス１０４としてＨＤＤを用いるものとして説明したが、これに限るものではなく、ベンダーユニーク領域を備えた記録デバイスであるなら、同様に実施することが可能である。
また、本実施の形態１では、記録デバイス１０４にデータを記録する記録処理を行う動作を例にとり説明したが、記録デバイス１０４に記録されているデータを削除する削除処理、あるいは記録デバイス１０４に記録されているデータを変更する変更処理なども同様の動作を行うことにより、同様に実施することが可能である。
また、本実施の形態１では、記録デバイス１０４に発行する特有のコマンドとしてベンダーユニークを例にあげて説明したが、ベンダーユニークの代わりに、記録デバイス１０４に特有のコマンド、または一般的なアクセスコマンドであるライトコマンド、あるいはリードコマンド、またはそれらのコマンドを組み合わせて使用するようにしてもよい。例えば、アクセスが行われたときに必ずエラーになるように、ライトコマンドを２回、リードコマンドを２回発行するものとして実施するようにしても、同様の効果を得ることができ、また、これらのコマンドは一般的なアクセスコマンドであるため、新たなコマンドとして追加する必要がない。
また、本実施の形態１では、記録再生装置１００は、記録デバイス１０４に対してベンダーユニークを発行してから、記録処理を開始するものとして説明したが、記録デバイス１０４への記録処理を終了してから、ベンダーユニークを発行するようにしても、同様に実施することが可能である。
また、本実施の形態１では、記録デバイス１０４のディスク３０３上のデータ記録領域ではない領域に最終アクセス情報を記録するものとして説明したが、記録デバイス１０４のディスク３０３外に備えた不揮発性メモリに最終アクセス情報を記録するようにしてもよく、この場合、ディスク上の領域を使用することなく、最終アクセス情報を記録することができる。
（実施の形態２）
以下に、本発明の実施の形態２による記録再生装置、及び記録デバイスについて図面を参照しながら説明する。本発明の実施の形態２による記録再生装置は、装填された記録デバイスのメモリの特定のボリュームにデータを記録するときに、ベンダーユニークを発行するようにしたものである。なお、本実施の形態２の記録再生装置の構成は、上記実施の形態１で説明した第１図、及び第３図と同様であるので説明を省略する。
まず、本実施の形態２による記録再生装置１００について、記録処理を開始する動作を第６図、及び第１図を用いて説明する。第６図は、本実施の形態２による記録再生装置の記録処理の動作を説明するためのフローチャートである。
まず、システム制御部１０３から記録制御部１０２に記録開始命令が発行されると、記録制御部１０２では、記録しようとしているデータを、記録デバイスの特定のボリュームに記録するのか、記録デバイスの他のボリュームに記録するのかを判断する（ステップＳ６０１）。
ステップＳ６０１において、上記記録しようとしているデータを、特定のボリュームに記録すると判断した場合、記録制御部１０２では、記録デバイス１０４にベンダーユニークを発行し（ステップＳ６０２）、続いて、記録デバイス１０４に記録開始命令を発行する（ステップＳ６０３）。
一方、ステップＳ６０１で、上記記録しようとしているデータを、特定のボリュームではなく、他の領域のボリュームに記録すると判断した場合、ステップＳ６０３に進み、記録制御部１０２では、記録デバイス１０４にベンダーユニークを発行することなく、記録開始命令を発行する。
次に、記録デバイス１０４では、記録制御部１０２から圧縮された映像信号、及び音声信号を外部Ｉ／Ｆ３０１を介して受信し、ディスク３０３に記録を行い（ステップＳ６０４）、システム制御部１０３から記録終了命令が発行されるまで、記録処理を行う（ステップＳ６０５）。そして、システム制御部１０３から記録制御部１０２に対し、記録終了命令が発行されると、記録制御部１０２は、記録デバイス１０４に記録終了命令を発行し、記録デバイス１０４は記録処理を終了する（ステップＳ６０６）。
次に、記録デバイスに最終アクセス情報を記録する動作について第７図、及び第１図、第３図を用いて説明する。第７図は、本実施の形態２による記録デバイスの記録処理の動作を説明するためのフローチャートである。
まず、制御部３０２では、記録制御部１０２からベンダーユニークが発行されたかどうかを監視する（ステップＳ７０１）。
ベンダーユニークが発行された場合、制御部３０２では、記録デバイス１０４が前回、専用の記録再生装置に装填されたと判断し、ディスク３０３上のデータを記録する領域ではない領域に記録している最終アクセス日時などの最終アクセス情報を更新する（ステップＳ７０２）。そして、システム制御部１０３から記録制御部１０２に対して記録開始命令が発行されたか否かを監視し（ステップＳ７０３）、記録開始命令が発行されたならば、上記記録制御部１０２から外部Ｉ／Ｆ部３０１を介して受信し、ディスク３０３への記録処理を開始し（ステップＳ７０４）、動作が終了する。
一方、ベンダーユニークが発行されなかった場合、制御部３０２では、記録デバイス１０４が前回、専用の記録再生装置ではなく、それ以外の記録再生装置に装填されたと判断し、ステップＳ７０５に進む。ステップＳ７０５では、システム制御部１０３から記録制御部１０２に対し記録開始命令が発行されるのを待ち、記録開始命令が発行されたならば、外部Ｉ／Ｆ部３０１を介して上記記録開始命令を受信する。そして、記録デバイス１０４のディスク３０３の特定のボリュームに対して記録を行う否かの判定を行う（ステップＳ７０６）。
ステップＳ７０６において、特定のボリュームに対して記録を行うと判定された場合、制御部３０２では、ディスク３０３上に記録されている最終アクセス情報をクリアして（ステップＳ７０７）、ディスク３０３への記録処理を開始する（ステップＳ７０４）。
一方、ステップＳ７０６において、特定のボリュームに対して記録を行わないと判定された場合、ステップＳ７０４に進み、ディスク３０３への記録処理を開始し、動作が終了する。
このような本実施の形態２では、装填された記録デバイス１０４のディスク３０３の特定のボリュームにデータを記録するとき、ベンダーユニークを発行し、上記記録デバイス１０４に記録されている最終アクセス情報を更新するようにしたので、特定の領域であるボリュームに着目することにより、必要な情報が記録されている領域にアクセスが行われたことがわかる。
また、本実施の形態２では、記録デバイス１０４が専用の記録再生装置ではなく、その他の記録再生装置に装填された場合、特定のボリュームにデータを記録するときは、記録デバイス１０４自身で最終アクセス情報をクリアするようにしたので、整合性チェック部１０７は、システム起動時に特定のボリュームにアクセスが行われたときだけ整合性のチェックを行えばよく、システム起動後の整合性チェックの回数を減らすことができ、システムの起動時間を短縮させることができる。
なお、本実施の形態２では、記録デバイス１０４としてＨＤＤを用いるものとして説明したが、これに限るものではなく、ベンダーユニークが使用できる記録デバイスであるなら、同様に実施することが可能である。
また、本実施の形態２では、記録デバイス１０４にデータを記録する記録処理を行う動作を例にとり説明したが、記録デバイス１０４に記録されているデータを削除する削除処理、あるいは記録デバイス１０４に記録されているデータを変更する変更処理なども同様の動作を行うことにより、同様に実施することが可能である。
また、本実施の形態２では、記録再生装置１００は、記録デバイス１０４の特定のボリュームに記録する場合にベンダーユニークを発行していたが、記録デバイス１０４の特定の領域、または特定のフォルダ、または特定のファイルに記録する場合にベンダーユニークを発行するようにしても、同様の効果が得られる。
また、本実施の形態２では、記録デバイス１０４に発行する特有のコマンドとしてベンダーユニークを例にあげて説明したが、ベンダーユニークの代わりに、記録デバイス１０４に特有のコマンド、または一般的なアクセスコマンドであるライトコマンド、あるいはリードコマンド、またはそれらのコマンドを組み合わせて使用するようにしてもよい。例えば、アクセスが行われたときに必ずエラーになるように、ライトコマンドを２回、リードコマンドを２回発行するものとして実施するようにしても、同様の効果を得ることができ、また、これらのコマンドは一般的なアクセスコマンドであるため、新たなコマンドとして追加する必要がない。
また、本実施の形態２では、記録再生装置１００は、記録デバイス１０４に対してベンダーユニークを発行してから、記録処理を開始するものとして説明したが、記録デバイス１０４への記録処理が終了してから、ベンダーユニークを発行するようにしても、同様に実施することが可能である。
また、本実施の形態２では、記録デバイス１０４のディスク３０３上のデータ記録領域ではない領域に最終アクセス情報を記録するものとして説明したが、記録デバイス１０４のディスク３０３外に備えた不揮発性メモリに最終アクセス情報を記録するようにしてもよく、この場合、ディスク上の領域を使用することなく、最終アクセス情報を記録することができる。
【産業上の利用可能性】  本発明にかかる記録再生装置、及び記録デバイスは、現在装填されている記録デバイスが、前回、専用の記録再生装置に装填されたかどうかを簡単に把握可能な記録再生装置、及び記録デバイスとして利用可能である。
【図面の簡単な説明】  第１図は、本発明の実施の形態１による記録再生装置のブロック図である。
第２図は、本発明の実施の形態１による記録再生装置の記録処理の動作を説明するためのフローチャートである。
第３図は、本発明の実施の形態１による記録デバイスのブロック図である。
第４図は、本発明の実施の形態１による記録デバイスの記録処理の動作を説明するためのフローチャートである。
第５図は、本発明の実施の形態１によるシステム起動処理の動作を説明するためのフローチャートである。
第６図は、本発明の実施の形態２による記録再生装置の記録処理の動作を説明するためのフローチャートである。
第７図は、本発明の実施の形態２による記録デバイスの記録処理の動作を説明するためのフローチャートである。
第８図は、従来の記録再生装置に装填された記録デバイスの動作を説明するためのフローチャートである。
【図１】
2004001758.tif 000003
【図２】
2004001758.tif 000004
【図３】
2004001758.tif 000005
【図４】
2004001758.tif 000006
【図５】
2004001758.tif 000007
【図６】
2004001758.tif 000008
【図７】
2004001758.tif 000009
【図８】
2004001758.tif 000010
【手続補正書】
【提出日】平成16年12月13日(2004.12.13)
【手続補正１】
【補正対象書類名】特許請求の範囲
【補正対象項目名】全文
【補正方法】変更
【補正の内容】
【特許請求の範囲】
【請求項１】
装填された記録デバイスに対し、映像信号、及び音声信号の記録、再生を行う記録再生装置であって、
上記記録デバイスに対し、データの読み出し、あるいは書き込みを行うとき、上記記録デバイスに特有のコマンドを発行し、上記記録デバイスに対する最終アクセス情報を上記記録デバイスに記録する、
ことを特徴とする記録再生装置。
【請求項２】
請求項１に記載の記録再生装置において、
上記映像信号、及び音声信号は、圧縮して上記記録デバイスに記録し、伸長して再生する、
ことを特徴とする記録再生装置。
【請求項３】
請求項１に記載の記録再生装置において、
上記特有のコマンドは、ベンダーユニークである、
ことを特徴とする記録再生装置。
【請求項４】
請求項１に記載の記録再生装置において、
上記特有のコマンドは、リードコマンド、またはライトコマンド、もしくはそれらの組み合わせである、
ことを特徴とする記録再生装置。
【請求項５】
請求項１に記載の記録再生装置において、
上記最終アクセス情報は、上記記録デバイスに対し、最後にアクセスを行った日時である、
ことを特徴とする記録再生装置。
【請求項６】
請求項１に記載の記録再生装置において、
上記特有のコマンドは、上記記録デバイスの特定の領域にアクセスをするときのみ発行される、
ことを特徴とする記録再生装置。
【請求項７】
装填される記録再生装置から本記録デバイスへの最終アクセス情報と、上記記録再生装置から送信された映像信号、及び音声信号を記録するディスクと、
上記記録再生装置から特有のコマンドが発行されたとき、上記最終アクセス情報を更新し、上記記録再生装置から特有のコマンドが発行されないときは、上記記録デバイス自身で上記最終アクセス情報をクリアする制御部とを備えた、
ことを特徴とする記録デバイス。
【請求項８】
請求項７に記載の記録デバイスにおいて、
上記制御部は、上記最終アクセス情報を、上記ディスク上の上記映像信号、及び音声信号を記録するデータ記録領域ではない領域に記録する、
ことを特徴とする記録デバイス。
【請求項９】
請求項７に記載の記録デバイスにおいて、
上記制御部は、上記最終アクセス情報を、上記ディスク外に備えた不揮発性メモリに記録する、
ことを特徴とする記録デバイス。
【請求項１０】
装填される記録再生装置から本記録デバイスへの最終アクセス情報と、上記記録再生装置から送信された映像信号、及び音声信号を記録するディスクと、
上記記録再生装置から上記ディスクの特定の領域へのアクセスを示す特有のコマンドが発行されたとき、上記最終アクセス情報を更新し、上記記録再生装置から特有のコマンドが発行されず、かつ、上記ディスクの特定の領域へのアクセスがあったとき、上記最終アクセス情報をクリアする制御部とを備えた、
ことを特徴とする記録デバイス。
【請求項１１】
請求項１０に記載の記録デバイスにおいて、
上記記録デバイスの特定の領域は、ボリューム単位である、
ことを特徴とする記録デバイス。
【請求項１２】
請求項１０に記載の記録デバイスにおいて、
上記記録デバイスの特定の領域は、フォルダ単位である、
ことを特徴とする記録デバイス。
【請求項１３】
請求項１０に記載の記録デバイスにおいて、
上記記録デバイスの特定の領域は、ファイル単位である、
ことを特徴とする記録デバイス。
【手続補正２】
【補正対象書類名】明細書
【補正対象項目名】全文
【補正方法】変更
【補正の内容】
【発明の詳細な説明】
【技術分野】
【０００１】
本発明は、映像信号、及び音声信号の記録、再生を行う記録再生装置、及び該記録再生装置に装填される記録デバイスに関するものであり、特に、記録デバイスの装填履歴を認識することができる記録再生装置、及び記録デバイスに関するものである。
【背景技術】
【０００２】
従来の記録再生装置、及び記録デバイスとしては、特開２０００−２３５７７４号公報に記載されている技術が知られている。この公報によれば、記録再生装置は記録デバイスが装填される毎に、記録デバイスのメモリに格納されている装填履歴情報の更新を行っていた。
【０００３】
従来の記録再生装置に記録デバイスが装填されたときに、該記録デバイスに記録されている装填履歴を更新する処理について、図８を用いて説明を行う。
【０００４】
まず、メモリを備えた記録デバイスが記録再生装置に装填されると、データのロードが行われる（ステップＳ８０１）。そして、記録デバイスのメモリに格納されている情報をワークエリアに読み込んで（ステップＳ８０２）、通常の記録再生の動作を開始する（ステップＳ８０３）。
【０００５】
続いて、記録デバイスのアンロード要求を検出したか否かを監視する（ステップＳ８０４）。アンロード要求が検出されたならば、記録再生装置のシリアルナンバを記録デバイスのメモリに格納して装填履歴を更新し（ステップＳ８０５）、記録デバイスをアンロードする（ステップＳ８０６）。
【０００６】
このようにして、記録デバイスが記録再生装置からアンロードされる前に、記録デバイスのメモリに格納されている装填履歴を更新することができ、その結果、記録デバイス単体で、該記録デバイスがどのような記録再生装置に装填され、どのようなエラーが発生したのかを把握することができる。
【０００７】
しかしながら、上記従来の記録再生装置においては、記録デバイスのメモリに格納されている装填履歴を更新可能な専用の記録再生装置以外の装置に記録デバイスが装填された場合、装填履歴の更新を行うことができなかった。つまり、現在装填されている記録デバイスが、前回専用の記録再生装置に装填されたのか、あるいはそれ以外の記録再生装置に装填されたのかが分からないという問題があった。
【０００８】
また、装填履歴は、記録再生装置内で発生したエラーの状況や、どの記録再生装置に装填されたのかという情報を記録することにより、エラーの解析を容易にし、記録デバイスの使用状況を把握することができるが、記録デバイスが専用の記録再生装置以外の装置に装填されたときにエラーが発生しても、記録デバイス単体ではエラーの状況を更新することができないので、エラーの解析が困難になるという問題があった。
【０００９】
本発明は、かかる問題点を解決するためになされたものであり、記録デバイスが記録再生装置に装填されたとき、その記録デバイスが前回、専用の記録再生装置でアクセスが行われたのか、あるいはそれ以外の記録再生装置でアクセスが行われたのかを判別することができる記録再生装置、及び記録デバイスを提供することを目的とするものである。
【発明の開示】
【００１０】
本発明の請求項１に記載の記録再生装置によれば、装填された記録デバイスに対し、映像信号、及び音声信号の記録、再生を行う記録再生装置であって、上記記録デバイスに対し、データの読み出し、あるいは書き込みを行うとき、上記記録デバイスに特有のコマンドを発行し、上記記録デバイスに対する最終アクセス情報を上記記録デバイスに記録するようにしたので、装填された記録デバイスに記録された最終アクセス情報を確認することにより、現在装填されている記録デバイスが、前回、専用の記録再生装置でアクセスが行われたのか、あるいはその他の記録再生装置でアクセスが行われたのかを容易に判断することができる。
【００１１】
また、本発明の請求項２に記載の記録再生装置によれば、請求項１に記載の記録再生装置において、上記映像信号、及び音声信号は、圧縮して上記記録デバイスに記録し、伸長して再生するようにしたので、記録デバイスに対し、効率良く、多数のデータを記録することができる。
【００１２】
また、本発明の請求項３に記載の記録再生装置によれば、請求項１に記載の記録再生装置において、上記特有のコマンドは、ベンダーユニークであるものとしたので、記録デバイスが前回、専用の記録再生装置でアクセスが行われたのか、あるいは、その他の記録再生装置でアクセスが行われたのかを容易に区別をつけることができる。
【００１３】
また、本発明の請求項４に記載の記録再生装置によれば、請求項１に記載の記録再生装置において、上記特有のコマンドは、リードコマンド、またはライトコマンド、もしくはそれらの組み合わせで組み合わせであるものとしたので、記録デバイスが前回、専用の記録再生装置でアクセスが行われたのか、あるいは、その他の記録再生装置でアクセスが行われたのかを容易に区別をつけることができる。
【００１４】
また、本発明の請求項５に記載の記録再生装置によれば、請求項１に記載の記録再生装置において、上記最終アクセス情報は、上記記録デバイスに対し、最後にアクセスを行った日時であるものとしたので、前回アクセスしたときの最終アクセス情報との比較を容易に行うことができる。
【００１５】
また、本発明の請求項６に記載の記録再生装置によれば、請求項１に記載の記録再生装置において、上記特有のコマンドは、上記記録デバイスの特定の領域にアクセスをするときのみ発行されるようにしたので、記録デバイスに記録された最終アクセス情報を確認することにより、装填されている記録デバイスは、前回、専用の記録再生装置でアクセスが行われたのか、あるいはその他の記録再生装置でアクセスが行われたのかを容易に判断することができる。
【００１６】
また、本発明の請求項７に記載の記録デバイスによれば、装填される記録再生装置から本記録デバイスへの最終アクセス情報と、上記記録再生装置から送信された映像信号、及び音声信号を記録するディスクと、上記記録再生装置から特有のコマンドが発行されたとき、上記最終アクセス情報を更新し、上記記録再生装置から特有のコマンドが発行されないときは、上記記録デバイス自身で上記最終アクセス情報をクリアする制御部とを備えたことより、最後にアクセスが行われた記録再生装置が、専用の記録再生装置であったかどうかを容易に判断することができる。
【００１７】
また、本発明の請求項８に記載の記録デバイスによれば、請求項７に記載の記録デバイスにおいて、上記制御部は、上記最終アクセス情報を、上記ディスク上の上記映像信号、及び音声信号を記録するデータ記録領域ではない領域に記録するようにしたので、データ記録領域を減らすことなく、最終アクセス情報を記録することができる。
【００１８】
また、本発明の請求項９に記載の記録デバイスによれば、請求項７に記載の記録デバイスにおいて、上記制御部は、上記最終アクセス情報を、上記ディスク外に備えた不揮発性メモリに記録するようにしたので、ディスク上の領域を使用することなく、最終アクセス情報を記録することができる。
【００１９】
また、本発明の請求項１０に記載の記録デバイスによれば、装填される記録再生装置から本記録デバイスへの最終アクセス情報と、上記記録再生装置から送信された映像信号、及び音声信号を記録するディスクと、上記記録再生装置から上記ディスクの特定の領域へのアクセスを示す特有のコマンドが発行されたとき、上記最終アクセス情報を更新し、上記記録再生装置から特有のコマンドが発行されず、かつ、上記ディスクの特定の領域へのアクセスがあったとき、上記最終アクセス情報をクリアする制御部とを備えたことより、最終アクセス情報を確認することにより、特定の領域にアクセスが行われたか否かを容易に判断することができる。
【００２０】
また、本発明の請求項１１に記載の記録デバイスによれば、請求項１０に記載の記録デバイスにおいて、上記記録デバイスの特定の領域は、ボリューム単位であるものとしたので、最終アクセス情報を確認することにより、特定のボリュームにアクセスが行われたか否かを容易に判断することができる。
【００２１】
また、本発明の請求項１２に記載の記録デバイスによれば、請求項１０に記載の記録デバイスにおいて、上記記録デバイスの特定の領域は、フォルダ単位であるものとしたので、最終アクセス情報を確認することにより、特定のフォルダにアクセスが行われたか否かを容易に判断することができる。
【００２２】
また、本発明の請求項１３に記載の記録デバイスによれば、請求項１０に記載の記録デバイスにおいて、上記記録デバイスの特定の領域は、ファイル単位であるものとしたので、最終アクセス情報を確認することにより、特定のファイルにアクセスが行われたか否かを容易に判断することができる。
【発明を実施するための最良の形態】
【００２３】
以下、本発明の実施の形態について説明する。
（実施の形態１）
以下に、本発明の実施の形態１による記録再生装置、及び記録デバイスについて図面を参照しながら説明する。本実施の形態１による記録再生装置は、装填された記録デバイスに対してベンダーユニークコマンドを発行し、上記記録デバイスのメモリのデータ記録領域以外の領域に履歴情報を記録するものである。
【００２４】
図１は、本実施の形態１による記録再生装置のブロック図である。
本実施の形態１による記録再生装置１００は、信号入力部１０１と、記録制御部１０２と、システム制御部１０３と、着脱可能な記録デバイス１０４と、再生制御部１０５と、信号出力部１０６と、整合性チェック部１０７とを備えている。
【００２５】
信号入力部１０１は、映像信号、及び音声信号を入力し、記録制御部１０２に送る。
記録制御部１０２は、送られてきた映像信号、及び音声信号を圧縮して、記録デバイス１０４に送るとともに、ベンダーユニークを発行して記録デバイス１０４に送る。
【００２６】
記録デバイス１０４は、記録制御部１０２から送られた圧縮された映像信号、及び音声信号を記録する。ここで、記録デバイス１０４は、ＨＤＤを使用するものとし、詳細な構成については後述する。
【００２７】
再生制御部１０５は、映像信号、及び音声信号を記録デバイス１０４から取り出して伸長し、信号出力部１０６に出力する。
信号出力部１０６は、映像信号、及び音声信号を記録再生装置１００の外部に出力する。
【００２８】
システム制御部１０３は、記録デバイス１０４に対し、映像信号、及び音声信号を記録する領域を指定し、記録の開始を指示する記録開始命令、及び記録の終了を指示する記録終了命令を記録制御部１０２に発行する。
【００２９】
整合性チェック部１０７は、記録再生装置１００の起動時に、必要な情報が記録デバイス１０４に存在するか否かの確認する。ここで、システム起動時に確認する、記録デバイス１０４に存在する必要な情報とは、付加情報ファイルの情報、記録デバイスに存在するボリューム、フォルダ、ファイルに関する情報のことである。
【００３０】
なお、上記付加情報ファイルには、記録デバイスの記録容量、及び空き容量に関する情報、記録デバイスが対応しているアクセス速度に関する情報、記録デバイスの製品名等の情報、記録デバイスに記録されているディレクトリ／フォルダ等の数に関する情報、記録されているファイルの記録開始時間に関する情報、記録されているファイルの再生時間と記録位置に関する情報などが含まれる。特に、上記記録されているファイルの再生時間と記録位置に関する情報は、映像音声ファイルの再生時において、特殊再生（早送り再生、逆早送り再生など）を行うために必要な情報であり、特定の再生時間に対し、映像音声データが記録デバイスのメモリのどの位置に記録されているかを示すものである。
【００３１】
このように構成された記録再生装置１００について、記録処理を開始する動作を図２、及び図１を用いて説明する。図２は、本実施の形態１による記録再生装置の記録処理の動作を説明するためのフローチャートである。
【００３２】
まず、システム制御部１０３から記録制御部１０２に記録開始命令が発行されると、記録制御部１０２では、記録デバイス１０４にベンダーユニークを発行し（ステップＳ２０１）、続いて、記録デバイス１０４に記録開始命令を発行する（ステップＳ２０２）。記録デバイス１０４は、記録制御部１０２から圧縮された映像信号、及び音声信号を受信して記録処理を行い（ステップＳ２０３）、システム制御部１０３から記録終了命令が発行されるまで、記録処理を行う（ステップＳ２０４）。そして、システム制御部１０３から記録制御部１０２に対し、記録終了命令が発行されると、記録制御部１０２は、記録デバイス１０４に記録終了命令を発行し、記録デバイス１０４は記録処理を終了する（ステップＳ２０５）。
【００３３】
次に、記録デバイス１０４の構成について説明を行う。図３は、本実施の形態１による記録デバイスのブロック図である。
記録デバイス１０４は、データの入出力、及びコマンドの入力を行う外部Ｉ／Ｆ部３０１と、データを記録するメモリ（ディスク）３０３と、コマンドの解析を行い、データを記録するときはディスク３０３上の領域を確保し、データを再生するときはディスク３０３上に記録したデータの領域を指定する制御部３０２とを備えている。
【００３４】
このように構成された記録デバイス１０４について、その動作をデータの記録時とデータの再生時に分けて説明する。
ディスク３０３にデータを記録する場合、ライトコマンドが外部Ｉ／Ｆ部３０１を介して制御部３０２に入力される。制御部３０２では、ライトコマンドを解析し、ディスク３０３上にデータを記録するための領域を確保する。そして、ディスク３０３上に確保された領域にデータを記録する。
【００３５】
一方、ディスク３０３に記録されたデータを再生する場合、リードコマンドが外部Ｉ／Ｆ部３０１を介して制御部３０２に入力される。制御部３０２では、リードコマンドを解析して、ディスク３０３上に記録されたデータのうち、再生するデータの領域を指定し、ディスク３０３上の指定した領域のデータを取り出し、外部Ｉ／Ｆ部３０１を介して記録再生装置１００に出力する。
【００３６】
次に、記録デバイスに最終アクセス情報を記録する動作について図４、及び図３を用いて説明する。図４は、本実施の形態１による記録デバイスの記録処理の動作を説明するためのフローチャートである。
【００３７】
まず、制御部３０２では、記録制御部１０２からベンダーユニークが発行されたかどうかを監視する（ステップＳ４０１）。
ベンダーユニークが発行された場合、制御部３０２では、記録デバイス１０４が前回、専用の記録再生装置に装填されたと判断し、ディスク３０３上のデータを記録する領域ではない領域に記録している最終アクセス日時などの最終アクセス情報を更新する（ステップＳ４０２）。そして、システム制御部１０３から記録制御部１０２に記録開始命令が発行されると、上記記録制御部１０２から記録開始命令を外部Ｉ／Ｆ部３０１を介して受信し（ステップＳ４０３）、ディスク３０３への記録処理を開始する（ステップＳ４０４）。
【００３８】
一方、ベンダーユニークが発行されなかった場合、制御部３０２では、記録デバイス１０４が前回、専用の記録再生装置ではなく、それ以外の記録再生装置に装填されたと判断し、ステップＳ４０５に進む。ステップＳ４０５では、システム制御部１０３から記録制御部１０２に記録開始命令が発行されるのを待ち、記録開始命令が発行されたならば、外部Ｉ／Ｆ部３０１を介して上記記録開始命令を受信し、ディスク３０３に記録されている最終アクセス情報をクリアにし（ステップＳ４０６）、ディスク３０３への記録処理を開始する（ステップＳ４０４）。
【００３９】
次に、整合性チェック部１０７の動作について、図５を用いて説明する。図５は、本実施の形態１によるシステム起動処理の動作を説明するためのフローチャートである。
【００４０】
まず、システムの起動処理を開始するとき、記録デバイス１０４から該記録デバイス１０４のディスク３０３に記録されている最終アクセス情報を読み出し（ステップＳ５０１）、読み出した最終アクセス情報が、前回記録された最終アクセス情報と同じであるか否かを判断する（ステップＳ５０２）。
【００４１】
ステップＳ５０２において、前回の最終アクセス情報と同じであると判断した場合は、処理を終了する。
ステップＳ５０２において、前回の最終アクセス情報と異なると判断した場合、記録デバイス１０４に必要な情報が存在することを確認するために、整合性のチェックを行う（ステップＳ５０３）。そして、整合性がとれているか否かを判断し（ステップＳ５０４）、整合性がとれているならば処理を終了する。一方、整合性がとれていないならば、必要な情報を再び作成し（ステップＳ５０５）処理を終了する。
【００４２】
このような本実施の形態１では、記録デバイス１０４が装填されたときにベンダーユニークを発行し、上記記録デバイス１０４のディスク３０３に格納されている最終アクセス情報を更新するようにしたので、最終アクセス情報を確認することにより、現在装填されている記録デバイスが、前回、専用の記録再生装置でアクセスが行われたのか、あるいは、その他の記録再生装置でアクセスが行われたのかを判断することができる。
【００４３】
また、本実施の形態１では、最終アクセス情報として最終アクセス日時を記録するようにしたので、記録再生装置１００に保持されている任意の記録デバイスに対する最終アクセス情報と、記録デバイス自身が保持している最終アクセス情報との比較を容易に行うことができる。
【００４４】
また、本実施の形態１では、最終アクセス情報は、記録デバイス１０４のディスク３０３上のデータ記録領域ではない領域に記録するようにしたので、ディスク３０３上のデータ記録領域を減らすことなく、最終アクセス情報をディスク３０３に記録することができる。
【００４５】
また、本実施の形態１では、記録デバイス１０４が、ディスク３０３に記録されている最終アクセス情報を更新可能な専用の記録再生装置ではなく、その他の記録再生装置に装填されたときは、記録デバイス１０４自身で最終アクセス情報をクリアするようにしたので、システム起動時に最終アクセス情報を確認することにより、専用の記録再生装置、又はその他の記録再生装置でアクセスが行われたのかを知ることができ、記録デバイスがその他の記録再生装置でアクセスが行われたときのみ、データファイルの整合性のチェックを行うようにすれば、システムの起動時間を短縮させることができる。
【００４６】
また、本実施の形態１では、入力された映像信号、及び音声信号を圧縮して記録デバイス１０４のディスク３０３に記録し、記録デバイス１０４から該記録デバイス１０４のディスク３０３に記録されているデータを取り出したときに伸長して再生するようにしたので、記録デバイスに多数の映像信号、及び音声信号を記録することができる。
【００４７】
なお、本実施の形態１では、記録デバイス１０４としてＨＤＤを用いるものとして説明したが、これに限るものではなく、ベンダーユニーク領域を備えた記録デバイスであるなら、同様に実施することが可能である。
【００４８】
また、本実施の形態１では、記録デバイス１０４にデータを記録する記録処理を行う動作を例にとり説明したが、記録デバイス１０４に記録されているデータを削除する削除処理、あるいは記録デバイス１０４に記録されているデータを変更する変更処理なども同様の動作を行うことにより、同様に実施することが可能である。
【００４９】
また、本実施の形態１では、記録デバイス１０４に発行する特有のコマンドとしてベンダーユニークを例にあげて説明したが、ベンダーユニークの代わりに、記録デバイス１０４に特有のコマンド、または一般的なアクセスコマンドであるライトコマンド、あるいはリードコマンド、またはそれらのコマンドを組み合わせて使用するようにしてもよい。例えば、アクセスが行われたときに必ずエラーになるように、ライトコマンドを２回、リードコマンドを２回発行するものとして実施するようにしても、同様の効果を得ることができ、また、これらのコマンドは一般的なアクセスコマンドであるため、新たなコマンドとして追加する必要がない。
【００５０】
また、本実施の形態１では、記録再生装置１００は、記録デバイス１０４に対してベンダーユニークを発行してから、記録処理を開始するものとして説明したが、記録デバイス１０４への記録処理を終了してから、ベンダーユニークを発行するようにしても、同様に実施することが可能である。
【００５１】
また、本実施の形態１では、記録デバイス１０４のディスク３０３上のデータ記録領域ではない領域に最終アクセス情報を記録するものとして説明したが、記録デバイス１０４のディスク３０３外に備えた不揮発性メモリに最終アクセス情報を記録するようにしてもよく、この場合、ディスク上の領域を使用することなく、最終アクセス情報を記録することができる。
【００５２】
（実施の形態２）
以下に、本発明の実施の形態２による記録再生装置、及び記録デバイスについて図面を参照しながら説明する。本発明の実施の形態２による記録再生装置は、装填された記録デバイスのメモリの特定のボリュームにデータを記録するときに、ベンダーユニークを発行するようにしたものである。なお、本実施の形態２の記録再生装置の構成は、上記実施の形態１で説明した図１、及び図３と同様であるので説明を省略する。
【００５３】
まず、本実施の形態２による記録再生装置１００について、記録処理を開始する動作を図６、及び図１を用いて説明する。図６は、本実施の形態２による記録再生装置の記録処理の動作を説明するためのフローチャートである。
【００５４】
まず、システム制御部１０３から記録制御部１０２に記録開始命令が発行されると、記録制御部１０２では、記録しようとしているデータを、記録デバイスの特定のボリュームに記録するのか、記録デバイスの他のボリュームに記録するのかを判断する（ステップＳ６０１）。
【００５５】
ステップＳ６０１において、上記記録しようとしているデータを、特定のボリュームに記録すると判断した場合、記録制御部１０２では、記録デバイス１０４にベンダーユニークを発行し（ステップＳ６０２）、続いて、記録デバイス１０４に記録開始命令を発行する（ステップＳ６０３）。
【００５６】
一方、ステップＳ６０１で、上記記録しようとしているデータを、特定のボリュームではなく、他の領域のボリュームに記録すると判断した場合、ステップＳ６０３に進み、記録制御部１０２では、記録デバイス１０４にベンダーユニークを発行することなく、記録開始命令を発行する。
【００５７】
次に、記録デバイス１０４では、記録制御部１０２から圧縮された映像信号、及び音声信号を外部Ｉ／Ｆ３０１を介して受信し、ディスク３０３に記録を行い（ステップＳ６０４）、システム制御部１０３から記録終了命令が発行されるまで、記録処理を行う（ステップＳ６０５）。そして、システム制御部１０３から記録制御部１０２に対し、記録終了命令が発行されると、記録制御部１０２は、記録デバイス１０４に記録終了命令を発行し、記録デバイス１０４は記録処理を終了する（ステップＳ６０６）。
【００５８】
次に、記録デバイスに最終アクセス情報を記録する動作について図７、及び図１、図３を用いて説明する。図７は、本実施の形態２による記録デバイスの記録処理の動作を説明するためのフローチャートである。
まず、制御部３０２では、記録制御部１０２からベンダーユニークが発行されたかどうかを監視する（ステップＳ７０１）。
【００５９】
ベンダーユニークが発行された場合、制御部３０２では、記録デバイス１０４が前回、専用の記録再生装置に装填されたと判断し、ディスク３０３上のデータを記録する領域ではない領域に記録している最終アクセス日時などの最終アクセス情報を更新する（ステップＳ７０２）。そして、システム制御部１０３から記録制御部１０２に対して記録開始命令が発行されたか否かを監視し（ステップＳ７０３）、記録開始命令が発行されたならば、上記記録制御部１０２から外部Ｉ／Ｆ部３０１を介して受信し、ディスク３０３への記録処理を開始し（ステップＳ７０４）、動作が終了する。
【００６０】
一方、ベンダーユニークが発行されなかった場合、制御部３０２では、記録デバイス１０４が前回、専用の記録再生装置ではなく、それ以外の記録再生装置に装填されたと判断し、ステップＳ７０５に進む。ステップＳ７０５では、システム制御部１０３から記録制御部１０２に対し記録開始命令が発行されるのを待ち、記録開始命令が発行されたならば、外部Ｉ／Ｆ部３０１を介して上記記録開始命令を受信する。そして、記録デバイス１０４のディスク３０３の特定のボリュームに対して記録を行う否かの判定を行う（ステップＳ７０６）。
【００６１】
ステップＳ７０６において、特定のボリュームに対して記録を行うと判定された場合、制御部３０２では、ディスク３０３上に記録されている最終アクセス情報をクリアして（ステップＳ７０７）、ディスク３０３への記録処理を開始する（ステップＳ７０４）。
【００６２】
一方、ステップＳ７０６において、特定のボリュームに対して記録を行わないと判定された場合、ステップＳ７０４に進み、ディスク３０３への記録処理を開始し、動作が終了する。
【００６３】
このような本実施の形態２では、装填された記録デバイス１０４のディスク３０３の特定のボリュームにデータを記録するとき、ベンダーユニークを発行し、上記記録デバイス１０４に記録されている最終アクセス情報を更新するようにしたので、特定の領域であるボリュームに着目することにより、必要な情報が記録されている領域にアクセスが行われたことがわかる。
【００６４】
また、本実施の形態２では、記録デバイス１０４が専用の記録再生装置ではなく、その他の記録再生装置に装填された場合、特定のボリュームにデータを記録するときは、記録デバイス１０４自身で最終アクセス情報をクリアするようにしたので、整合性チェック部１０７は、システム起動時に特定のボリュームにアクセスが行われたときだけ整合性のチェックを行えばよく、システム起動後の整合性チェックの回数を減らすことができ、システムの起動時間を短縮させることができる。
【００６５】
なお、本実施の形態２では、記録デバイス１０４としてＨＤＤを用いるものとして説明したが、これに限るものではなく、ベンダーユニークが使用できる記録デバイスであるなら、同様に実施することが可能である。
【００６６】
また、本実施の形態２では、記録デバイス１０４にデータを記録する記録処理を行う動作を例にとり説明したが、記録デバイス１０４に記録されているデータを削除する削除処理、あるいは記録デバイス１０４に記録されているデータを変更する変更処理なども同様の動作を行うことにより、同様に実施することが可能である。
【００６７】
また、本実施の形態２では、記録再生装置１００は、記録デバイス１０４の特定のボリュームに記録する場合にベンダーユニークを発行していたが、記録デバイス１０４の特定の領域、または特定のフォルダ、または特定のファイルに記録する場合にベンダーユニークを発行するようにしても、同様の効果が得られる。
【００６８】
また、本実施の形態２では、記録デバイス１０４に発行する特有のコマンドとしてベンダーユニークを例にあげて説明したが、ベンダーユニークの代わりに、記録デバイス１０４に特有のコマンド、または一般的なアクセスコマンドであるライトコマンド、あるいはリードコマンド、またはそれらのコマンドを組み合わせて使用するようにしてもよい。例えば、アクセスが行われたときに必ずエラーになるように、ライトコマンドを２回、リードコマンドを２回発行するものとして実施するようにしても、同様の効果を得ることができ、また、これらのコマンドは一般的なアクセスコマンドであるため、新たなコマンドとして追加する必要がない。
【００６９】
また、本実施の形態２では、記録再生装置１００は、記録デバイス１０４に対してベンダーユニークを発行してから、記録処理を開始するものとして説明したが、記録デバイス１０４への記録処理が終了してから、ベンダーユニークを発行するようにしても、同様に実施することが可能である。
【００７０】
また、本実施の形態２では、記録デバイス１０４のディスク３０３上のデータ記録領域ではない領域に最終アクセス情報を記録するものとして説明したが、記録デバイス１０４のディスク３０３外に備えた不揮発性メモリに最終アクセス情報を記録するようにしてもよく、この場合、ディスク上の領域を使用することなく、最終アクセス情報を記録することができる。
【産業上の利用可能性】
【００７１】
本発明にかかる記録再生装置、及び記録デバイスは、現在装填されている記録デバイスが、前回、専用の記録再生装置に装填されたかどうかを簡単に把握可能な記録再生装置、及び記録デバイスとして利用可能である。
【図面の簡単な説明】
【００７２】
【図１】本発明の実施の形態１による記録再生装置のブロック図である。
【図２】本発明の実施の形態１による記録再生装置の記録処理の動作を説明するためのフローチャートである。
【図３】本発明の実施の形態１による記録デバイスのブロック図である。
【図４】本発明の実施の形態１による記録デバイスの記録処理の動作を説明するためのフローチャートである。
【図５】本発明の実施の形態１によるシステム起動処理の動作を説明するためのフローチャートである。
【図６】本発明の実施の形態２による記録再生装置の記録処理の動作を説明するためのフローチャートである。
【図７】本発明の実施の形態２による記録デバイスの記録処理の動作を説明するためのフローチャートである。
【図８】従来の記録再生装置に装填された記録デバイスの動作を説明するためのフローチャートである。
【手続補正３】
【補正対象書類名】図面
【補正対象項目名】全図
【補正方法】変更
【補正の内容】
【図１】
2004001758.tif 000011
【図２】
2004001758.tif 000012
【図３】
2004001758.tif 000013
【図４】
2004001758.tif 000014
【図５】
2004001758.tif 000015
【図６】
2004001758.tif 000016
【図７】
2004001758.tif 000017
【図８】
2004001758.tif 000018
【国際調査報告】
2004001758.tif 000019
2004001758.tif 000020